(57)【要約】【課題】  ドキュメントと符号との画像を分離可能とし、符号の復号処理を容易にできる画像処理システムを提供する。【解決手段】  ドキュメント画像に用いられる色に含まれない、所定色空間に係る特定色成分を含む色を特定色として、当該特定色で、符号化の対象となったデータに基づく符号画像し、この符号画像を、処理対象ドキュメントに合成し、合成ドキュメントを生成する符号側システム１と、この合成ドキュメントを受け入れ当該受け入れた合成ドキュメントから、特定色成分を抽出して符号画像とドキュメント画像とを分離し、符号画像を抽出し、抽出した符号画像を復号して符号化の対象となったデータを生成する復号側システム２とを含む画像処理システムである。【選択図】        図１
2005142970.tif 000002
【特許請求の範囲】
【請求項１】
符号側システムと、復号側システムとを含む画像処理システムであって、
前記符号側システムは、
処理対象となるドキュメント画像を取得する手段と、
前記取得したドキュメント画像に用いられる色に含まれない、所定色空間に係る特定色成分を含む色を特定色として、当該特定色で、符号化の対象となったデータに基づく符号画像を生成する手段と、
前記生成した符号画像を、前記処理対象ドキュメントに合成し、合成ドキュメントを生成する手段と、
を含み、
前記復号側システムは、
前記合成ドキュメントを受け入れる手段と、
当該受け入れた合成ドキュメントから、前記特定色に含まれる特定色成分を抽出して符号画像とドキュメント画像とを分離し、符号画像を抽出する手段と、
前記抽出した符号画像を復号して前記符号化の対象となったデータを生成して出力する手段と、
を含むことを特徴とする画像処理システム。
【請求項２】
ドキュメント画像に符号画像を合成した合成ドキュメントを生成する画像処理装置であって、
前記ドキュメント画像のうち、少なくとも符号画像の合成対象領域を含む部分で用いられている色に含まれていない、所定色空間に係る特定色成分を含む色を特定色として、当該特定色で、符号化の対象となったデータに基づく符号画像を生成する手段と、
前記生成した符号画像を、前記ドキュメント画像の前記合成対象領域に合成し、合成ドキュメントを生成して出力する手段と、
を含むことを特徴とする画像処理装置。
【請求項３】
ドキュメント画像に符号画像を合成した合成ドキュメントを生成する画像処理装置であって、
所定色空間に係るＮ個の色成分のうち、１以上Ｎー１個以下の色成分を選択し、少なくとも前記符号画像の合成対象領域を含む部分については、当該選択した色成分を単独で、又は混合して得られる少なくとも一つの色を用いてドキュメント画像を生成する手段と、
前記ドキュメント画像の生成の際に選択していない色成分を特定色成分とし、当該特定色成分を含む少なくとも一つの色成分を選択し、当該選択した色成分を単独で、又は混合して得られる少なくとも一つの特定色を用いて、符号化の対象となったデータに基づく符号画像を生成する手段と、
前記生成した符号画像を、前記ドキュメント画像の前記合成対象領域に合成し、合成ドキュメントを生成して出力する手段と、
を含むことを特徴とする画像処理装置。
【請求項４】
請求項２又は３に記載の画像処理装置において、
前記ドキュメント画像には、複写後の現出態様が互いに異なる第１、第２のパターンを用いて構成される複写牽制模様が合成されていることを特徴とする画像処理装置。
【請求項５】
請求項２又は３に記載の画像処理装置において、
前記符号画像を生成する手段は、さらに、前記符号画像の一部に、複写後の現出態様が前記符号画像とは異なるパターンを用いて構成される複写牽制模様を含み、前記特定色を用いて当該複写牽制模様を含む符号画像を生成することを特徴とする画像処理装置。
【請求項６】
処理対象となるドキュメント画像に用いられる色に含まれない、所定色空間に係る特定色成分を含む色を特定色として、当該特定色で、符号化の対象となったデータに基づく符号画像を生成する工程と、
前記生成した符号画像を、前記ドキュメント画像に合成し、合成ドキュメントを生成して出力する工程と、
を含むことを特徴とする画像生成方法。
【請求項７】
所定色空間に係るＮ個の色成分のうち、１以上Ｎー１個以下の色成分を選択し、当該選択した色成分を単独で、又は混合して得られる少なくとも一つの色を用いて、処理対象となったドキュメントデータに基づくドキュメント画像を生成する工程と、
前記ドキュメント画像の生成の際に選択していない色成分を特定色成分とし、当該特定色成分を含む少なくとも一つの色成分を選択し、当該選択した色成分を単独で、又は混合して得られる少なくとも一つの色を用いて、符号化の対象となったデータに基づく符号画像を生成する工程と、
前記生成した符号画像を、前記ドキュメント画像に合成し、合成ドキュメントを生成して出力する工程と、
を含むことを特徴とする画像生成方法。
【請求項８】
請求項６又は７に記載の画像生成方法によって生成された合成ドキュメントが形成されていることを特徴とする記録媒体。
【請求項９】
コンピュータに、
処理対象となるドキュメント画像に用いられる色に含まれない、所定色空間に係る特定色成分を含む色を特定色として、当該特定色で、符号化の対象となったデータに基づく符号画像を生成する手順と、
前記生成した符号画像を、前記ドキュメント画像に合成し、合成ドキュメントを生成して出力する手順と、
を実行させることを特徴とするプログラム。
【請求項１０】
コンピュータに、
所定色空間に係るＮ個の色成分のうち、１以上Ｎー１個以下の色成分を選択し、当該選択した色成分を単独で、又は混合して得られる少なくとも一つの色を用いて、処理対象となったドキュメントデータに基づくドキュメント画像を生成する手順と、
前記ドキュメント画像の生成の際に選択していない色成分を特定色成分とし、当該特定色成分を含む少なくとも一つの色成分を選択し、当該選択した色成分を単独で、又は混合して得られる少なくとも一つの色を用いて、符号化の対象となったデータに基づく符号画像を生成する手順と、
前記生成した符号画像を、前記ドキュメント画像に合成し、合成ドキュメントを生成して出力する手順と、
を実行させることを特徴とするプログラム。
【発明の詳細な説明】
【技術分野】
【０００１】
本発明は、行政文書などの画像に関する処理等を行う画像処理システムに関する。
【背景技術】
【０００２】
近年、さまざまなドキュメントが、プリンタを用いて印字されるようになってきている。こうしたドキュメントの中には、住民票などの公文書や契約書などといった重要性のあるものも含まれている。
【０００３】
かかる重要性の高いドキュメントについては、従来から印鑑の押印や、特種用紙の使用などにより原本であることの保証（いわば原本性の保証）が行われ、内容を後から改ざんすることを防止するようになっていた。
【特許文献１】特開平６−１７６０３６号公報
【特許文献２】特開平１０−２２４５４０号公報
【発明の開示】
【発明が解決しようとする課題】
【０００４】
一方で近年、行政庁などで発行する文書を各地の出張所や自宅のプリンタ等で出力させ、ユーザの利便性を高める試みが始まっている。しかしながら、上記従来の方法では、改ざん防止策を押印や特種用紙といった方法で施していたので、上記試みを具体的に実現するには至っていない。
【０００５】
そこで文書の内容を表す文書画像とデジタル署名とを２次元コードを用いて文書内に埋込む技術が特許文献１に開示されている。また、文書内容を符号化した２次元コードを文書の背景に合成して印刷する技術が特許文献２に開示されている。これらによれば、２次元コードによって表される文書画像と、当該２次元コードが埋込まれている文書の内容との比較によって改ざんの有無を知ることができるようになる。
【０００６】
しかしながら、文書（ドキュメント）の背景にコード（符号）の画像を合成する場合、文書によってコードの画像の一部が掩蔽されることがある。また、文書内容の一部をコードと誤ってしまう場合がある。このため、コード自体の符号化率を低くして誤り訂正能力を高くするなど、復号処理が困難になっている。
【０００７】
本発明は上記実情に鑑みて為されたもので、ドキュメントと符号との画像を分離可能とし、符号の復号処理を容易にできる画像処理システムを提供することを、その目的の一つとする。
【課題を解決するための手段】
【０００８】
上記従来例の問題点を解決するための本発明は、符号側システムと、復号側システムとを含む画像処理システムであって、前記符号側システムは、処理対象となるドキュメント画像を取得する手段と、前記取得したドキュメント画像に用いられる色に含まれない、所定色空間に係る特定色成分を含む色を特定色として、当該特定色で、符号化の対象となったデータに基づく符号画像を生成する手段と、前記生成した符号画像を、前記処理対象ドキュメントに合成し、合成ドキュメントを生成する手段と、を含み、前記復号側システムは、前記合成ドキュメントを受け入れる手段と、当該受け入れた合成ドキュメントから、前記特定色に含まれる特定色成分を抽出して符号画像とドキュメント画像とを分離し、符号画像を抽出する手段と、前記抽出した符号画像を復号して前記符号化の対象となったデータを生成して出力する手段と、を含むことを特徴としている。
【０００９】
上記従来例の問題点を解決するための本発明は、ドキュメント画像に符号画像を合成した合成ドキュメントを生成する画像処理装置であって、前記ドキュメント画像のうち、少なくとも符号画像の合成対象領域を含む部分で用いられている色に含まれていない、所定色空間に係る特定色成分を含む色を特定色として、当該特定色で、符号化の対象となったデータに基づく符号画像を生成する手段と、前記生成した符号画像を、前記ドキュメント画像の前記合成対象領域に合成し、合成ドキュメントを生成して出力する手段と、を含むことを特徴としている。
【００１０】
上記従来例の問題点を解決するための本発明は、ドキュメント画像に符号画像を合成した合成ドキュメントを生成する画像処理装置であって、所定色空間に係るＮ個の色成分のうち、１以上Ｎー１個以下の色成分を選択し、少なくとも前記符号画像の合成対象領域を含む部分については、当該選択した色成分を単独で、又は混合して得られる少なくとも一つの色を用いてドキュメント画像を生成する手段と、前記ドキュメント画像の生成の際に選択していない色成分を特定色成分とし、当該特定色成分を含む少なくとも一つの色成分を選択し、当該選択した色成分を単独で、又は混合して得られる少なくとも一つの特定色を用いて、符号化の対象となったデータに基づく符号画像を生成する手段と、前記生成した符号画像を、前記ドキュメント画像の前記合成対象領域に合成し、合成ドキュメントを生成して出力する手段と、を含むことを特徴としている。
【００１１】
これらにおいて、合成対象領域は、ドキュメント画像の背景となる全面であってもよい。またここで前記ドキュメント画像には、複写後の現出態様が互いに異なる第１、第２のパターンを用いて構成される複写牽制模様が合成されていることとしてもよい。また前記符号画像を生成する手段は、さらに、前記符号画像の一部に、複写後の現出態様が前記符号画像とは異なるパターンを用いて構成される複写牽制模様を含み、前記特定色を用いて当該複写牽制模様を含む符号画像を生成することとしてもよい。
【００１２】
また、上記従来例の問題点を解決するための本発明は、画像処理方法であって、処理対象となるドキュメント画像に用いられる色に含まれない、所定色空間に係る特定色成分を含む色を特定色として、当該特定色で、符号化の対象となったデータに基づく符号画像を生成する工程と、前記生成した符号画像を、前記ドキュメント画像に合成し、合成ドキュメントを生成して出力する工程と、を含むことを特徴としている。
【００１３】
さらに上記従来例の問題点を解決するための本発明は、画像処理方法であって、所定色空間に係るＮ個の色成分のうち、１以上Ｎー１個以下の色成分を選択し、当該選択した色成分を単独で、又は混合して得られる少なくとも一つの色を用いて、処理対象となったドキュメントデータに基づくドキュメント画像を生成する工程と、前記ドキュメント画像の生成の際に選択していない色成分を特定色成分とし、当該特定色成分を含む少なくとも一つの色成分を選択し、当該選択した色成分を単独で、又は混合して得られる少なくとも一つの色を用いて、符号化の対象となったデータに基づく符号画像を生成する工程と、前記生成した符号画像を、前記ドキュメント画像に合成し、合成ドキュメントを生成して出力する工程と、を含むことを特徴としている。
【００１４】
また本発明の一態様に係る記録媒体は、これらの画像生成方法によって生成された合成ドキュメントが形成されていることを特徴としている。
【００１５】
さらに本発明の一態様に係るプログラムは、コンピュータに、処理対象となるドキュメント画像に用いられる色に含まれない、所定色空間に係る特定色成分を含む色を特定色として、当該特定色で、符号化の対象となったデータに基づく符号画像を生成する手順と、前記生成した符号画像を、前記ドキュメント画像に合成し、合成ドキュメントを生成して出力する手順と、を実行させることを特徴としている。
【００１６】
さらに、本発明の別の態様に係るプログラムは、コンピュータに、所定色空間に係るＮ個の色成分のうち、１以上Ｎー１個以下の色成分を選択し、当該選択した色成分を単独で、又は混合して得られる少なくとも一つの色を用いて、処理対象となったドキュメントデータに基づくドキュメント画像を生成する手順と、前記ドキュメント画像の生成の際に選択していない色成分を特定色成分とし、当該特定色成分を含む少なくとも一つの色成分を選択し、当該選択した色成分を単独で、又は混合して得られる少なくとも一つの色を用いて、符号化の対象となったデータに基づく符号画像を生成する手順と、前記生成した符号画像を、前記ドキュメント画像に合成し、合成ドキュメントを生成して出力する手順と、を実行させることを特徴としている。
【発明を実施するための最良の形態】
【００１７】
［実施の形態１］
本発明の第１の実施の形態について図面を参照しながら説明する。本実施の形態に係る画像処理システムは、図１に示すように、符号側システム１と復号側システム２とを含む。ここで符号側システム１は、画像処理装置１０と、画像形成装置２０とを含んでなり、復号側システム２は、画像処理装置３０と、画像読取装置４０とを含む。
【００１８】
画像処理装置１０は、図２に示すように、制御部１１と、記憶部１２と、操作部１３と、表示部１４と、外部インタフェース（Ｉ／Ｆ）１５とを含んでなる。制御部１１は、記憶部１２に格納されているプログラムに従って動作しており、処理対象となるドキュメントを生成し、当該生成したドキュメントに関する符号画像を生成して合成する処理（合成ドキュメント生成処理）を行っている。この合成ドキュメント生成処理などの制御部１１の具体的な処理の内容については、後に詳しく述べる。なお、これらの処理は、制御部１１によって実行される画像形成装置２０に対するプリンタドライバの処理として実装されることとしてもよい。
【００１９】
記憶部１２は、制御部１１によって実行されるプログラムを格納したコンピュータ可読な記録媒体である。また、この記憶部１２は、制御部１１の処理における種々のデータを記憶するワークメモリとしても動作する。
【００２０】
操作部１３は、マウスや、キーボード等であり、ユーザの指示操作を受け入れて、当該指示操作の内容を制御部１１に出力する。表示部１４は、制御部１１から入力される指示に従って画像を表示するディスプレイ等である。外部Ｉ／Ｆ１５は、例えば、ＵＳＢ（Universal Serial Bus）インタフェースなどであり、本実施の形態では、この外部Ｉ／Ｆ１５を介して画像形成装置２０が接続されているものとする。
【００２１】
画像形成装置２０は、例えばプリンタであり、画像処理装置１０から入力される画像データに基づいて用紙上に画像を形成する。
【００２２】
復号側システム２の画像処理装置３０は、基本的には符号側システム１の画像処理装置１０と同様の構成を有し、図２に示した画像処理装置１０と同様に、制御部３１と、記憶部３２と、操作部３３と、表示部３４と、外部インタフェース（Ｉ／Ｆ）３５とを含んでなる（不図示）ものであるが、制御部３１における処理の内容が異なる。すなわち画像処理装置３０の制御部３１は、画像読取装置４０から入力される画像データから符号部分を抽出して復号処理を行い、当該復号結果を用いてドキュメントの内容を認証するための処理（認証支援処理）を実行するものである。この認証支援処理の具体的内容については、後に詳しく述べる。
【００２３】
また、記憶部３２と操作部３３と表示部３４とは、それぞれ画像処理装置１０の記憶部１２と操作部１３と表示部１４と同様のものである。さらに、外部Ｉ／Ｆ３５も、外部Ｉ／Ｆ１５と同様に例えば、ＵＳＢ（Universal Serial Bus）インタフェースなどであるが、外部Ｉ／Ｆ３５には、画像読取装置４０が接続されている点が異なる。
【００２４】
画像読取装置４０は、一般的なスキャナでよく、読取面に置かれたドキュメントを光学的に読み取って、その読み取った結果を画像データとして出力する。
【００２５】
［制御部１１の処理］
本実施の形態の制御部１１が生成する、処理対象となるドキュメントは、図３にその一例を示すように、少なくとも一つの情報記述欄（Ｘ１からＸ３）と、同一種類のドキュメントに共通して含まれる情報（以下、固定情報と呼ぶ。図３におけるＹ１からＹ５）とを含むフォームデータの各情報記述欄に情報（例えばテキスト）が記述されたものである。すなわち、この種類のドキュメントにおいては、情報記述欄に記述される情報が変化し得る情報、いわば可変情報であって、本実施の形態においては、制御部１１は、この可変情報の少なくとも一部を処理対象として符号画像を生成することとする。尤も別の態様によっては、処理対象となるドキュメントをラスタライズした画像データ（ドキュメント画像）をそのまま符号化して符号画像を生成しても構わない。またここでは制御部１１が処理対象となるドキュメントを生成することとしているが、外部（例えばサーバ装置）からネットワーク等を介して当該処理対象となるドキュメントを取得することとしてもよい。
【００２６】
制御部１１は、この処理対象となったドキュメント（処理対象ドキュメント）に基づいて、各情報記述欄に記述された情報と、各情報の記述位置に関するデータ（位置データ）と、情報表示態様に関するデータとを抽出する。ここで記述される情報は、一般的にはテキストであるので、以下の説明では簡単のため、テキストの情報に限って説明する。尤も、この情報は画像であっても構わない。
【００２７】
また情報の記述位置に関する位置データは、処理対象ドキュメント上で表示された情報の縦横のサイズ（テキストの場合、テキストを表す文字列画像を囲む矩形の縦横のサイズ）と、位置座標（所定座標系における当該記述位置の座標情報）とを含んでいる。なお、位置座標を表す座標系は、例えばドキュメントの左下端を（０，０）としたポイント等の所定単位の座標系とすることができる。具体的には、この位置座標は、上記文字列画像を囲む矩形の左上端の位置を表現することとする。なお、これらに代えて、この座標系上での上記矩形の対角線上の２つの頂点の座標を、記述位置に関する位置データとすることとしてもよい。
【００２８】
制御部１１は、抽出した各情報記述欄に記述された情報と、各情報の記述位置に関する位置データとに基づいて、所定の符号化処理を行い、符号画像を生成する。ここで符号化の方法は、テキストの情報をバイナリで表現するもので構わない。このようにバイナリで表現した符号であれば、図４に示すように「０」を表すパターン（図４（ａ））と、「１」を表すパターン（図４（ｂ））とを符号に従って矩形状に配列した２次元コード画像（図４（ｃ））とすることができる。この図４（ｃ）では、その外周がすべて「１」を表す画像（いわば同期パターン）となっており、復号の際に符号画像部分を特定する処理に供されることとなっている。
【００２９】
制御部１１は、これらドキュメントに基づいて生成するドキュメント画像と符号画像とを次のように合成する。まず、符号画像を繰返し配列してドキュメント画像の背景画像を生成し、次に、所定色空間に係るＮ個の色成分のうち１以上Ｎ−１個以下の色成分を選択する。ここで色成分は例えばＣＭＹ（シアン、マゼンタ、イエロー）やＲＧＢ（レッド、グリーン、ブルー）のように、ｉ個の色成分の混色により、他のＮ−ｉ個の色成分のいずれかの色が再現されない色成分の組としておいてもよい。ここではＣＭＹＫ（シアン、マゼンタ、イエロー、ブラック）の４色の色成分のうち、ＣＭＹの３個の色成分のうち、１以上２以下の色成分（例えばシアン（Ｃ）とマゼンタ（Ｍ）と）を選択する。
【００３０】
そしてドキュメントに基づいて生成するドキュメント画像を、この選択した色成分のいずれか一方単独、又はこれらの混色で得られる色のビットマップ画像として記憶部１２に格納する。具体的に記憶部１２には、ＣＭＹの３つのプレーンのビットマップ画像をそれぞれ生成してもよい。この場合、制御部１１は、Ｃのプレーンと、Ｍのプレーンとにドキュメント画像となるビットマップ画像を描画する。ここでは簡単のため、ＣとＭとに同一の画像を描画したこととし、従ってドキュメント画像は、これらの混色である青色の画像となっているものとする。
【００３１】
そして記憶部１２は、ドキュメント画像の生成に使用していない色成分（ここではイエロー（Ｙ））を選択し、当該選択した色成分（特定色成分）によって表される色（例えばイエローそのもの）を特定色として、この特定色によって符号画像を描画する。上記のように記憶部１２に、ＣＭＹの３つのプレーンのビットマップ画像をそれぞれ生成する場合、Ｙのプレーンに符号画像となるビットマップ画像を描画する。
【００３２】
そして制御部１１は、こうして生成した符号画像とドキュメント画像とを合成した合成ドキュメントを生成し、処理を終了する。この合成によって得られる合成ドキュメントの画像は、図５（ａ）に示すようなものとなる。なお、図５（ａ）の一部を拡大した図５（ｂ）に示すように、ドキュメント画像を構成する文字の一部に符号画像の一部が重なりあって形成される場合がある。図５（ｂ）では色の違う画素を、便宜上それぞれ異なるハッチングで表している。
【００３３】
制御部１１は、この合成ドキュメントの画像データを外部Ｉ／Ｆ１５を介して画像形成装置２０に出力し、画像形成装置２０が、図５（ａ）に示したようなドキュメントの画像を用紙上に形成する。
【００３４】
また、ここではドキュメント画像をシアンとマゼンタとで形成し、符号画像をイエローで形成する例を示しているが、この例に限らない。尤も、ドキュメント画像をシアンとマゼンタとで形成し、符号画像をマゼンタとイエローで形成するなど、相互に、互いの形成に用いられていない色成分を少なくとも一つ含んだ色によって形成されるようにしておくことが好適である。
【００３５】
［制御部３１の処理］
次に、復号側システム２の画像処理装置３０の制御部３１の処理について説明する。制御部３１は、外部Ｉ／Ｆ３５を介して受け入れられる画像データ（合成ドキュメントの読取結果）に基づいて、その内容の改ざんの有無をユーザが判断することを支援する処理（認証支援処理）を行う。
【００３６】
具体的に制御部３１は、外部Ｉ／Ｆ３５から入力される画像データ中から、符号画像部分を特定する。この特定のための処理は、符号画像の種類によって異なるが、図４に示したような符号画像を用いる場合、同期画像部分を検出し、当該同期画像によって囲まれている符号画像部分から、バイナリで表現された符号を読み取ることになる。本実施の形態において特徴的なことの一つは、この際に制御部３１が、符号画像の形成に用いられた特定色に含まれる特定色成分（上述のように、符号画像をイエロー一色で構成する例の場合、当該イエロー）を抽出する。この処理は具体的には、外部Ｉ／Ｆ３５から入力される画像データを構成する各画素の値に基づいて、当該画像データをＣＭＹの３つの画像プレーンに分離し、そのうち特定色成分として、例えばＹ（イエロー）のプレーンの画像を符号画像として抽出する処理に相当する。
【００３７】
例えば図５（ｂ）に拡大して示した画像部分に対応するイエローのプレーンの画像の一部は、図５（ｃ）に示すようになる。
【００３８】
そして制御部３１は、この抽出した符号画像から、同期画像部分を検出し、当該同期画像によって囲まれている符号画像部分から、バイナリで表現された符号を読み取って、符号化されている情報を復号する。ここで符号化されている情報は、処理対象ドキュメント内の各記述欄に記述された各テキストと、各テキストを表す文字列画像を囲む各矩形の縦横のサイズと、各矩形の位置座標とを含む。
【００３９】
そして制御部３１は、ドキュメント画像の形成に用いられた色成分（例えばシアン）のプレーンを抽出してドキュメント画像を抽出する。具体的に図５（ｂ）に拡大して示した画像部分に対応して抽出されるドキュメント画像（シアンのプレーンの画像）の一部は、図５（ｄ）に示すようになる。そして、この抽出したドキュメント画像上で各テキストを順次注目テキストとして選択しながら、次の図６に示す処理を行う。まず制御部３１は、記憶部３２上に注目テキストに対応する文字列画像を囲む矩形の縦横のサイズのデータに基づき、当該サイズの画像を格納するための記憶領域を確保し、当該記憶領域に注目テキストを描画する（Ｓ１）。
【００４０】
次に制御部３１は、外部Ｉ／Ｆ３５から入力された画像データのうち、注目テキストに対応する上記矩形の位置座標とサイズのデータとによって画定される矩形領域の部分画像を抽出する（Ｓ２）。制御部３１は、この抽出した部分画像と、処理Ｓ１での描画によって得られた画像との差分画像を生成する（Ｓ３）。ここでの差分画像は、処理Ｓ２で抽出した部分画像と、処理Ｓ１での描画によって得られた画像との間で、対応する画素が互いに異なっている部分を強調表現（例えば赤色の画素で表すなど）した画像として生成することができる。
【００４１】
制御部３１は、さらに、注目テキストとなっていないテキストがあるか否かを調べ（Ｓ４）、そのようなテキストがあれば、そのうちの一つを次の注目テキストとして選択して（Ｓ５）、処理Ｓ１に戻って処理を続ける。
【００４２】
また、処理Ｓ４において、注目テキストとなっていないテキストがなければ（つまりすべてのテキストについて処理を行ったならば）、各テキストについて生成した差分画像を表示部３４に表示して処理を終了する。
【００４３】
ユーザは、表示部３４に表示された各テキストの差分画像を参照して、強調表現された画素（例えば赤色の画素）によって差分があると認められる場合に、改ざんが行われたと判断することができるようになる。
【００４４】
ここまでの説明では、情報の記述位置を表す位置データとして、ドキュメント内の座標情報等を用いていたが、このようなデータの代りに、フォームを識別するデータを用いてもよい。すなわち、処理対象のドキュメントが予め定められているフォーム（書式）である場合や、複数のフォーム候補のいずれかである場合は、処理対象ドキュメントのフォームを識別するデータを用いて、各記述欄の位置データを特定できる。
【００４５】
この場合は、画像処理装置１０の制御部１１は、処理対象ドキュメントに基づいて、各情報記述欄に記述された情報を抽出し、抽出した各情報記述欄に記述された情報（テキスト）と、処理対象ドキュメントのフォームを識別するフォーム識別情報とに基づいて所定の符号化処理を行い、符号画像を生成する。ここで各情報記述欄に記述された情報は、所定の順序（例えば記述欄の識別子の順序など）で配列されてもよいし、対応する記述欄の識別子に関連づけられて符号化処理に供されてもよい。
【００４６】
また、復号側システム２の画像処理装置３０の記憶部３２には、予め図７に示すように、フォーム識別情報に対して、当該フォームに含まれる記述欄の位置を表す位置データと属性データを関連づけたデータベースが格納されている。ここで記述欄の位置データは、記述欄の識別子と記述欄を合成ドキュメント上で画定する座標情報とを関連づけたものであり、例えば記述欄が矩形であれば、当該矩形の左上端と右下端との座標情報である。また、属性データは、記述欄に描画するテキストの表示形態に関するデータであり、例えば、フォント種別、フォントサイズ、フォント形状（イタリック等）、および記述欄に対する配置位置（左詰めやセンタリング等）である。
【００４７】
制御部３１は、読み出した符号からフォーム識別情報を取り出して、当該フォーム識別情報に関連づけられた記述欄の位置データを上記データベースから検索して取得する。そして制御部３１は、図６に示した処理と同様に、符号画像から読み取られたテキスト等の情報を順次注目情報として選択しながら、記憶部３２上に注目情報に対応する画像が記述される記述欄の位置データを参照し、当該記述欄のサイズの画像を格納するための記憶領域を確保し、当該記憶領域に注目情報を、設定された属性データに従って描画する。
【００４８】
次に制御部３１は、外部Ｉ／Ｆ３５から入力された画像データのうち、注目情報に対応する画像が記述される記述欄（注目情報が含まれている順序や、（それが関連づけられていれば）記述欄の識別子等によって、対応する記述欄が特定できる）の位置データによって画定される矩形領域の部分画像を抽出する。そして制御部３１は、この抽出した部分画像と、処理Ｓ１での描画によって得られた画像との差分画像を生成する。制御部３１は、この処理を各情報について繰り返して行い、各情報について生成した差分画像を表示部３４に表示する。
【００４９】
また、ここまでに示したように、復号側システムで画像に基づく比較を行う場合には、符号化される情報として、情報の表示態様に関するデータを含むことが好ましい。ここで情報の表示態様とは、テキストであれば、その文字列の表示態様のことであり、例えば文字列の描画に用いられるフォントデータ（フォント種別、形状（イタリック、ボールド等の別）、サイズなど）である。また情報の記述位置を表すデータとして、フォーム識別情報（これにより各記述欄の位置が特定される）を用いる場合、当該フォーム識別情報によって識別されるフォームに含まれる各記述欄内での文字列の配置状態として左づめ、センタリング、右づめ等のデータを、情報の表示態様に関するデータとして含めてもよい。
【００５０】
この場合、復号側システム２は、復号結果として得られた情報（ここではテキストとする）を、記憶部３２に確保した領域に描画するときに、当該フォントデータや配置状態のデータを参照して、これらのデータに従って描画を行う。
【００５１】
またここまでの説明では、処理対象ドキュメントに含まれる各情報記述欄から抽出された情報に基づいて符号画像を生成するとしていたが、例えば符号画像の元となる情報を抽出する情報記述欄をユーザが特定できるようにしてもよい。
【００５２】
この場合、画像処理装置１０の制御部１１は、処理対象ドキュメントを生成した後で、当該生成した処理対象ドキュメントを表示部１４に表示し、当該処理対象ドキュメントに含まれる情報記述欄のうち、符号画像の元となる情報を抽出する情報記述欄の選択操作を、ユーザから操作部１３を介して受けるようにしておく。この処理は、画面上に表示された画像中の所定部分をマウス操作によって選択させる処理と同様であるので処理内容についての子細な説明は省略する。
【００５３】
そして制御部１１は、当該選択された情報記述欄に含まれる情報を抽出して、当該抽出した情報と、当該情報の記述位置に関する位置データとを符号化して符号画像を生成する。そして制御部１１は、処理対象ドキュメントに合成して合成ドキュメントを生成することになる。なおここで、情報記述欄の選択に代えて、文字列部分の選択としてもよい。
【００５４】
また、制御部３１による差分画像生成においては、対比する２つの画像データ同士の対応位置をずらしながら、互いに異なっている対応画素の数を算出し、当該数が最小となる対応位置での比較結果を差分画像として生成することとしてもよい。
【００５５】
またここでは復号側システム２の処理として、符号画像を復号して得たテキストに基づいて画像を描画した上で、当該描画した画像と、読み取られた画像の対応部分とを比較して差分画像を生成することで改ざんの有無の判定などの認証を容易にしていたが、符号画像を復号して得たテキストと、読み取られた画像のうち、そのテキストの記述位置によって特定される部分からＯＣＲ（光学的文字認識）によって得られたテキスト（ＯＣＲテキスト）との比較によって、改ざんの有無を調べることができるようにしておいてもよい。
【００５６】
また、差分画像を生成することなく単に、符号画像を復号して得たテキストに基づいて描画した画像と、読み取られた画像のうち、当該テキストの描画位置に対応する部分画像と、を表示部３４に表示するようにして、ユーザが対比できるようにしておいてもよい。
また、生成された差分画像に所定画素数以上の差分画像が含まれる場合にのみに、ユーザーに対して警告メッセージを表示するようにしてもよい。
【００５７】
このように本実施の形態によると、符号画像とドキュメント画像とが、それぞれ所定の画像処理によって分離可能な態様で生成して合成されているため、復号側システムにおいて上記所定画像処理を行って符号画像とドキュメント画像とを分離することができるようになる。これにより、ドキュメント画像によって符号画像の一部が掩蔽されてしまうことがなくなり、符号の復号が困難になることもない。
【００５８】
また、差分画像を生成するなどの際、符号画像から生成した画像と対比する対象が、読み取られた画像そのもの（符号画像が含まれる）ではなく、ドキュメント画像を復元したもの（復元ドキュメント画像、すなわち符号画像が含まれないもの）となるので、符号画像部分を相違部分として識別してしまうことがなくなり、改ざんの有無の判定などが容易になる。
【００５９】
［実施の形態２］
さらに、上述の例に加え、処理対象データに複写牽制模様を合成してもよいので、以下、処理対象データに複写牽制模様を併せて合成する（特開２００１−３４６０３２号公報に開示のものと同様）こととしてもよい。そこで以下、本発明の第２の実施の形態に係る画像処理システムについて説明する。
【００６０】
本実施の形態の画像処理システムは、第１の実施の形態に係るものと同様の構成を有するものであるが、画像処理装置１０の制御部１１の動作が若干異なる。すなわち、本実施の形態の制御部１１は、図３に示したのと同様に、少なくとも一つの情報記述欄（Ｘ１からＸ３）と、同一種類のドキュメントに共通して含まれる情報（以下、固定情報と呼ぶ。図３におけるＹ１からＹ５）とを含んでなる処理対象ドキュメントを生成する。なお、ここでも処理対象となるドキュメントを制御部１１が生成する代りに、外部（例えばサーバ装置）から取得することとしてもよい。
【００６１】
制御部１１は、この処理対象となったドキュメント（処理対象ドキュメント）に基づいて、各情報記述欄に記述された情報と、各情報の記述位置に関するデータ（位置データ）とを抽出する。ここで記述される情報は、一般的にはテキストであるので、以下の説明では簡単のため、テキストの情報に限って説明する。尤も、この情報は画像であっても構わない。
【００６２】
また情報の記述位置に関する位置データは、処理対象ドキュメント上で表示された情報の縦横のサイズ（テキストの場合、テキストを表す文字列画像を囲む矩形の縦横のサイズ）と、位置座標（所定座標系における当該記述位置の座標情報）とを含んでいる。なお、位置データには第１の実施形態におけるのと同様の変形例がある。
【００６３】
制御部１１は、抽出した各情報記述欄に記述された情報と、各情報の記述位置に関する位置データとに基づいて、所定の符号化処理を行い、符号画像を生成する。ここで符号化の方法は、テキストの情報をバイナリで表現するもので構わない。このようにバイナリで表現した符号であれば、図４に示すように「０」を表すパターン（図４（ａ））と、「１」を表すパターン（図４（ｂ））とを符号に従って矩形状に配列した２次元コード画像（図４（ｃ））とすることができる。この図４（ｃ）では、その外周がすべて「１」を表すパターン（いわば同期パターン）となっており、復号の際に符号画像部分を特定する処理に供されることとなっている。
【００６４】
さらに本実施の形態の制御部１１は、この符号画像を繰返して配列した画像を生成し、各符号の画像の一部を図８に示すようなパターン（潜像パターン）に置換えて、この潜像パターンによって予めユーザから指定された文字列や画像を表すことができるように、符号画像に含めて配列する。この図８に示した潜像パターンは孤立点から構成され、当該潜像パターンで構成された文字列部分は複写後には現出しないようになり、一方で図４（ａ）、（ｂ）で示した符号パターンで記述された部分は複写後にも現出するので、図８で示した潜像パターン通りに白抜きされた画像が浮き上る。なお、図４（ａ）、（ｂ）に示した符号のパターンと、図８で示した潜像パターンとの用紙上での印刷濃度は同一となるようになっている（例えば点灯している画素（黒画素）の数を同じにしておく）。
【００６５】
こうして配列した画像（以下、複写牽制背景画像と呼ぶ）は、その一部を拡大すると、図９に示すように、符号パターンの一部に潜像パターンで構成した文字（図９では右半分側にある「Ｃ」の文字）が含められたものとなっている。なお、図９では参考のため、処理対象となったドキュメントに記述される文字（ここでは「山田  太郎」の文字列）を合成した結果を示している。
【００６６】
そして制御部１１は、第１の実施の形態におけるのと同様、ドキュメントに基づいて生成するドキュメント画像と、複写牽制背景画像とを次のように合成する。まず所定色空間に係るＮ個の色成分のうち１以上Ｎ−１個以下の色成分、例えばＣＭＹ色空間におけるシアン（Ｃ）とイエロー（Ｙ）とを選択する。
【００６７】
そしてドキュメントに基づいて生成するドキュメント画像を、この選択した色成分を用いたビットマップ画像として記憶部１２に格納する。具体的に記憶部１２に、ＣＭＹの３つのプレーンのビットマップ画像をそれぞれ生成する場合、制御部１１は、Ｃのプレーンと、Ｙのプレーンとにドキュメント画像となるビットマップ画像を描画する。このときドキュメント画像は緑色となる。
【００６８】
そして記憶部１２は、ドキュメント画像の生成に使用していない色成分（ここではマゼンタ（Ｍ））を選択し、当該選択した色成分（特定色成分）によって表される色（例えばマゼンタそのもの）を特定色として、この特定色によって複写牽制背景画像を描画する。上記のように記憶部１２に、ＣＭＹの３つのプレーンのビットマップ画像をそれぞれ生成する場合、Ｍのプレーンに複写牽制背景画像となるビットマップ画像を描画する。
【００６９】
そして制御部１１は、こうして生成した複写牽制背景画像とドキュメント画像とを合成した合成ドキュメントを生成し、処理を終了する。この合成によって得られる合成ドキュメントの画像は、図１０（ａ）に示すようなものとなる（図９は、図１０（ａ）の一部を拡大したものである）。
【００７０】
制御部１１は、この合成ドキュメントの画像データを外部Ｉ／Ｆ１５を介して画像形成装置２０に出力し、画像形成装置２０が、図１０（ａ）に示したようなドキュメントの画像を用紙上に形成する。
【００７１】
また、ここではドキュメント画像をシアンとイエローとで形成し、複写牽制背景画像をマゼンタで形成する例を示しているが、この例に限らない。尤も、ドキュメント画像をシアンとマゼンタとで形成し、複写牽制背景画像をマゼンタとイエローで形成するなど、相互に、互いの形成に用いられていない色成分を少なくとも一つ含んだ色によって形成されるようにしておくことが好適である。ここで、複写牽制背景画像をうまく機能させるために、複写牽制背景画像の色成分は濃度が大きいシアン、マゼンタを含むのが望ましい。また、ドキュメント画像にはブラック（Ｋ）以外の色成分を用いるのが望ましい。
【００７２】
制御部１１は、この合成ドキュメントの画像データを外部Ｉ／Ｆ１５を介して画像形成装置２０に出力し、画像形成装置２０が、図５に示したようなドキュメントの画像を用紙上に形成する。また、この図１０（ａ）に示した合成ドキュメントを形成した用紙を複写すると、図１０（ｂ）に示すように、潜像パターン部分が白抜きされた状態になって、潜像として埋込まれた画像が浮出す。
【００７３】
［制御部３１の処理］
次に、この合成ドキュメントの読取結果としての画像データを受け入れた、復号側システム２の制御部３１の動作について説明する。制御部３１は、複写牽制背景画像の形成に用いられた特定色に含まれる特定色成分（上述のように、符号画像をイエロー一色で構成する例の場合、当該イエロー）を抽出する。この処理は具体的には、外部Ｉ／Ｆ３５から入力される画像データを構成する各画素の値に基づいて、当該画像データをＣＭＹの３つの画像プレーンに分離し、そのうち特定色成分として、例えばＹ（イエロー）のプレーンの画像を複写牽制背景画像として抽出する処理に相当する。そして、制御部３１は、抽出した複写牽制背景画像のうちの符号画像部分（同期画像によって区切られた領域）の各々を取り出す。そして、取り出した符号画像部分が含まれる各パターンによって表される情報を復号する。
【００７４】
また、制御部３１は、ドキュメント画像の形成に用いられた色成分（例えばシアン）のプレーンを抽出してドキュメント画像を抽出し、上記復号して得た情報と、この抽出したドキュメント画像とを用いて、以下、第１実施形態の図６に示したものと同様の処理を行う。
【００７５】
［複写牽制模様を合成する別の例］
また、ここでは複写後に現出するパターン部分としての符号パターンに、複写後に消失するパターンである潜像画像部分を複写牽制模様として、これを構成する潜像パターンを含めて複写牽制背景画像を構成することとしていたが、これに代えて複写牽制模様をドキュメント画像に透過合成し、さらに符号画像を合成するようにしてもよい。
【００７６】
この場合、制御部１１は、複写牽制模様を図１１に機能的に示すプログラムに従って生成する。すなわち、図１１に機能的に示すように、複写牽制模様を生成する処理は、グレイ画像生成部４１と、階調補正部４２と、誤差拡散部４３と、ディザ処理部４４と、選択部４５と、潜像画像生成部４６と、カモフラージュパターン生成部４７と、合成部４８とを含む。
【００７７】
グレイ画像生成部４１は、埋込画像となるグレイ画像の階調値の設定の入力を受けて、当該設定された階調値の画素からなる所定のサイズのグレイ画像を生成する。
【００７８】
階調補正部４２は、予め設定されたトーンカーブに従って、入力されるグレイ画像の階調補正を行い、階調補正後の画像データを誤差拡散部４３に出力する。なお、ここでのトーンカーブは、誤差拡散部４３によって生成される誤差拡散画像と、ディザ処理部４４によって生成される網点画像との濃度を略同一とするよう予め設定されている。誤差拡散部４３は、この階調補正後の画像データに対して誤差拡散処理を行い、誤差拡散画像を生成する。ディザ処理部４４は、グレイ画像生成部４１が生成したグレイ画像に基づいてディザ処理を行い、網点画像を生成する。
【００７９】
選択部４５は、潜像画像生成部４６が生成する２値の潜像画像の入力を受けて、当該潜像画像の画素ごとに、それが黒画素を表すものか否かに応じて、誤差拡散画像のうちの当該画素に対応する部分と、網点画像のうちの当該画素に対応する部分とのいずれかを選択して出力する。
【００８０】
潜像画像生成部４６は、予め定められた情報又は、ユーザから入力される指示に従って２値の潜像画像を生成して出力する。この２値の潜像画像は、例えば「ＣＯＰＹ」といった文字列を用紙全面に配列した画像である。
【００８１】
カモフラージュパターン生成部４７は、複写牽制画像の全面に細線で描画した、カモフラージュパターンを生成する。このカモフラージュパターンは、パターン部分が白画素で描画され、背景となるべき部分が黒画素で表されることとしてもよい。
【００８２】
合成部４８は、選択部４５が出力する画像と、カモフラージュパターン生成部４７が生成するカモフラージュパターンとを合成する。具体的に、この合成部４８は、合成の対象となる画像同士の論理積を演算する。ここでカモフラージュパターンが、パターン部分が白画素で描画され、背景となるべき部分が黒画素で表されている場合、このような論理積によって、選択部４５が出力する画像から、カモフラージュパターン部分が白抜きされた画像が得られることとなる。合成部４８は、この合成後の画像を複写牽制模様として出力する。
【００８３】
制御部１１は、符号画像を第１の実施の形態に示した方法で別途生成し、複写牽制模様と符号画像とを透過合成し、これを背景として処理対象となっているドキュメントをさらに透過合成する。ここで透過合成とは、図１２に概念的に示すように、合成の対象となる画像のうち、画素値が所定値（例えば白画素）の部分については、合成を受ける画像の画素値をそのまま維持する合成方法、具体的には画素の論理和を演算するなどの合成方法のことである。
【００８４】
またこの際、制御部１１は、まず所定色空間に係るＮ個の色成分のうち１以上Ｎ−１個以下の色成分、例えばＣＭＹ色空間におけるシアン（Ｃ）とマゼンタ（Ｍ）とを選択し、ドキュメント画像と複写牽制模様とを、この選択した色成分を用いたビットマップ画像として記憶部１２に格納する。具体的に記憶部１２に、ＣＭＹの３つのプレーンのビットマップ画像をそれぞれ生成する場合、制御部１１は、Ｃのプレーンと、Ｍのプレーンとにドキュメント画像となるビットマップ画像を描画する。このときドキュメント画像と複写牽制模様とは青色となる。
【００８５】
そして記憶部１２は、ドキュメント画像等の生成に使用していない色成分（ここではイエロー（Ｙ））を選択し、当該選択した色成分（特定色成分）によって表される色（例えばイエローそのもの）を特定色として、この特定色によって符号画像を描画する。上記のように記憶部１２に、ＣＭＹの３つのプレーンのビットマップ画像をそれぞれ生成する場合、Ｙのプレーンに符号画像となるビットマップ画像を描画する。
【００８６】
これにより生成される合成ドキュメントの画像は、その一部を拡大して示せば、図１３に示すようなものとなる。制御部１１は、この合成ドキュメントの画像を画像形成装置２０に出力して用紙上に形成させる。
【００８７】
なお、この場合も、合成ドキュメントの画像を受け入れた復号側システム２において、イエロー（Ｙ）の画像と、それ以外（例えばシアン（Ｃ））の画像とを分離することで、符号画像を容易に復号できるようになる。
【００８８】
さらにこの場合は、分離によって得られたシアン（Ｃ）の画像に複写牽制模様が含まれている。そこで、次のようにこの複写牽制模様を除去する処理を行ってもよい。すなわち、シアン（Ｃ）の画像データから所定サイズ以下の画素の塊を除去する、いわゆる孤立点除去処理を行う。これにより複写牽制模様を構成する誤差拡散画像のパターンや、ディザ画像のパターン（第１、第２のパターン）が除去される。
【００８９】
さらに、これら３つの画像を合成する場合、複写牽制画像をシアン（Ｃ）で形成し、ドキュメント画像をマゼンタ（Ｍ）で形成し、符号画像をイエロー（Ｙ）で形成するようにしてもよい。また、ここで複写牽制模様に潜像として埋込まれる画像は、ユーザ側の指定によって変更できるようにしておくことも好ましい。
【００９０】
［変形例］
また、ここまでの第１、第２の実施形態を通じての説明において、符号画像を合成する対象領域（合成対象領域）は、ドキュメント画像の背景としてその全面であるものとして説明したが、符号画像の合成対象領域は、ドキュメント画像の一部であってもよい。この場合は制御部１１は、所定色空間に係るＮ個の色成分のうちから選択される１以上Ｎ−１個以下の色成分（例えばＣＭＹ色空間におけるシアン（Ｃ）とマゼンタ（Ｍ））を用いて、ドキュメント画像のうち、当該合成対象領域に対応する部分の画像を生成し、ドキュメント画像の当該部分以外の部分については、例えば黒（Ｋ）を用いたり、ドキュメント画像の元となったドキュメントデータによって特定される色で生成するようにしてもよい。
【００９１】
これによって生成される合成ドキュメントの各色成分の画像は、例えば、図１４（ａ）から（ｄ）に示すようなものとなる。すなわち、この例では、複写牽制画像がシアン（Ｃ）で形成され、ドキュメント画像のうち、符号画像の合成対象領域の部分は、青（シアン（Ｃ）及びマゼンタ（Ｍ））で形成され、ドキュメント画像のその他の部分は、黒（Ｋ）で形成され、符号画像はイエロー（Ｙ）で形成されている。
【００９２】
また、ここまでは、復号側システム２の画像処理装置３０が単体の装置であることを前提として説明してきたが、図１５に示すように、本システムにサーバ装置５０を備えて、画像処理装置１０が処理対象ドキュメントをこのサーバ装置５０に図示しないデータストレージに格納するようにしてもよい。この場合は、画像処理装置１０は、生成した処理対象ドキュメントごとに固有の識別子を発行して、当該識別子と処理対象ドキュメントとを関連づけてサーバ装置５０に格納する。また、画像処理装置１０の制御部１１は、当該識別子を符号化して、符号画像に含めて処理対象ドキュメントに合成する。
【００９３】
また、復号と照合の支援とに関する処理としては、サーバ装置５０側で照合を支援する処理を行う方法と、サーバ装置５０が処理対象ドキュメントを復号側システム２に提供して、復号側システム２で照合を支援する処理を行う方法とがあるので、それぞれに分けて説明する。
【００９４】
まずサーバ装置５０側で照合を支援する処理を行う場合、復号側システム２の制御部１１は、読取った画像データをサーバ装置５０側に送信して照合を要求する。サーバ装置５０は、この画像データから符号画像部分を抽出し、符号画像として符号化されている情報を復号する。そして、当該復号の結果として得られた情報（処理対象ドキュメントの識別子を含む）に基づいて、対応する処理対象ドキュメントをデータストレージから取り出し、この処理対象ドキュメントと、受信された画像データとの差分画像を生成して、復号側システム２に送信し、復号側システム２の制御部３１がこの差分画像を表示部３４に表示出力する。
【００９５】
なお、復号の結果として得られたテキストやその記述位置に関する位置データに基づいてサーバ装置５０側で生成した画像も併せて用いてもよい。
【００９６】
次に、復号側システム２で照合を支援する処理を行う方法について説明する。この場合、復号側システム２の画像処理装置３０は、画像読取装置４０で読取られた画像データの入力を受けると、当該画像データから符号画像部分を検出し、当該符号画像に含まれる処理対象ドキュメントの識別子をサーバ装置５０に送信して、処理対象ドキュメントを要求する。サーバ装置５０は、復号側システム２からの要求に応答して、要求された処理対象ドキュメントを復号側システム２に対して提供する。
【００９７】
そして復号側システム２が、サーバ装置５０から受信された処理対象ドキュメントと、符号画像に基づく復号の結果として得られたテキストやその記述位置に関する位置データに基づいて制御部３１が生成した画像とを用いて、差分画像を生成し、この差分画像を表示部３４に表示出力する。
【００９８】
また、復号側システム２は、サーバ装置５０との間での通信ができない場合には、自ら（図６に示した処理などによって）差分画像を生成することとしてもよい。さらに、サーバ装置５０側からの情報によって得られた差分画像によって改ざんが検出される場合に、自らも（図６に示した処理などによって）差分画像を生成し、改ざんの有無を確認できるようにしておいてもよい。
【００９９】
なお、これらのいずれの方法を用いる場合でも、符号側システム１と復号側システム２とサーバ装置５０との間の通信経路は暗号化しておくことが好ましい。
【０１００】
また、ここまでの第１、第２の実施の形態に記載のものでは、画像処理装置１０と画像形成装置２０とが別体の装置であるものとして説明したが、画像処理装置１０は画像形成装置２０と一体として構成されていてもよい。この場合は、パーソナルコンピュータ等外部の装置から処理対象ドキュメントの入力を受けて、合成ドキュメント生成処理を行うこととなる。このとき、表示部１４や操作部１３は必ずしも必要とはならない。
【０１０１】
さらに、符号側システム１の画像処理装置１０と復号側システム２の画像処理装置３０とは一体であってもよい。例えば画像処理装置１０と画像形成装置２０と画像処理装置３０と画像読取装置４０とを一体に含む複合機として、本発明の第１、第２の実施の形態のシステムを実装することもできる。
【０１０２】
また、符号画像を復号する際に、符号画像が繰返して形成されている場合、当該複数の符号画像部分の各々について、その対応する符号同士を比較しながら、各符号を決定するようにすることとしてもよい。これにより復号の精度を向上できる。
【０１０３】
さらに上述の説明では、符号画像の元となる情報は、ドキュメントに基づいて生成されるものとしていたが、この情報は、他のものであってもよい。
【図面の簡単な説明】
【０１０４】
【図１】本発明の実施の形態に係る画像処理システムの一例を表す構成ブロック図である。
【図２】画像処理装置の例を表す構成ブロック図である。
【図３】処理対象ドキュメントのフォーマットの例を表す説明図である。
【図４】符号画像の例を表す説明図である。
【図５】合成ドキュメントの例を表す説明図である。
【図６】復号側での処理例を表すフローチャート図である。
【図７】フォーム識別情報を利用した位置データの特定のための例を表す説明図である。
【図８】複写牽制模様を構成するパターンの例を表す説明図である。
【図９】符号画像に複写牽制模様を含めた合成ドキュメントの一部拡大状態を表す説明図である。
【図１０】符号画像に複写牽制模様を含めた合成ドキュメントとその複写結果の例を表す説明図である。
【図１１】複写牽制模様を生成するための処理例を表す機能ブロック図である。
【図１２】合成処理の例を表す説明図である。
【図１３】複写牽制模様と符号画像とを合成した例による合成ドキュメントの一部拡大状態を表す説明図である。
【図１４】符号画像部分を処理対象ドキュメントの一部分に合成した例を表す説明図である。
【図１５】本発明の実施の形態に係る画像処理システムの別の一例を表す構成ブロック図である。
【符号の説明】
【０１０５】
１  符号側システム、２  復号側システム、１０，３０  画像処理装置、２０  画像形成装置、４０  画像読取装置、１１，３１  制御部、１２，３２  記憶部、１３，３３  操作部、１４，３４  表示部、１５，３５  外部インタフェース、４１  グレイ画像生成部、４２  階調補正部、４３  誤差拡散部、４４  ディザ処理部、４５  選択部、４６  潜像画像生成部、４７  カモフラージュパターン生成部、４８  合成部、５０  サーバ装置。
【図１】
2005142970.tif 000003
【図２】
2005142970.tif 000004
【図３】
2005142970.tif 000005
【図４】
2005142970.tif 000006
【図５】
2005142970.tif 000007
【図６】
2005142970.tif 000008
【図７】
2005142970.tif 000009
【図８】
2005142970.tif 000010
【図９】
2005142970.tif 000011
【図１０】
2005142970.tif 000012
【図１１】
2005142970.tif 000013
【図１２】
2005142970.tif 000014
【図１３】
2005142970.tif 000015
【図１４】
2005142970.tif 000016
【図１５】
2005142970.tif 000017